(57)【要約】【課題】埋設管の存在を従来よりもより確実に認識できる埋設物表示装置を提供すること。【解決手段】埋設物表示装置である埋設シートは、シート状の基体と、基体の一方の面に一体に形成され、内部に着色料が密封され、埋設されて加圧されることによって破裂する複数のカプセルを備えている。また、カプセルの少なくとも一部を生分解性樹脂で形成してもよい。埋設シートを埋設、加圧するだけで下方の一定の範囲の土が均一に着色され、またカプセルに生分解性プラスティックを使用することによってより確実に着色される。また、シート状なので保管や輸送が容易であり、溝の中に埋設シートを敷くだけであるので施工が簡単である。【選択図】図１
2016216918.tif 000002
【特許請求の範囲】
【請求項１】
地下に埋設物が存在することを表示する埋設物表示装置において、
シート状の基体と、
前記基体の一方の面に前記基体と一体に形成されるか、あるいは前記基体に付着され、内部に着色料が密封され、埋設されて加圧されることによって破裂する複数のカプセルと
を備えていることを特徴とする埋設物表示装置。
【請求項２】
前記カプセルの少なくとも一部を生分解性樹脂で形成したことを特徴とする請求項１に記載の埋設物表示装置。
【請求項３】
前記カプセルは、薄い樹脂製であり、前記着色料を内蔵した凹部を備えたカプセル形成シートを前記基体の一方の面に貼り合わせることによって形成したことを特徴とする請求項１に記載の埋設物表示装置。
【請求項４】
前記カプセルの側面あるいは底面の一部の少なくとも一方が他の部分よりも薄くなっていることを特徴とする請求項１に記載の埋設物表示装置。
【請求項５】
前記カプセルの前記基体部分の内面に針状の突起を備えていることを特徴とする請求項１に記載の埋設物表示装置。
【請求項６】
前記カプセルの一部には着色料の代わりに臭気物質が密封されていることを特徴とする請求項１に記載の埋設物表示装置。
【発明の詳細な説明】
【技術分野】
【０００１】
本発明は、埋設物表示装置に関するものであり、特に地中に管が存在していることをより確実に表示し、掘削した作業者が容易に検知可能な埋設物表示装置に関するものである。
【背景技術】
【０００２】
従来、水道管やガス管などを埋設した場合に、管の存在を知らない作業者による掘削によって損傷を受けることがある。そこで、作業者に管が地中に埋設されていることを検知させるようにして、管が掘削機械によって損傷を受けるのを防護する装置や方法が各種提案されている。
【０００３】
例えば下記の特許文献１には、使用前でも標識文字を全部読める埋設標識シートが開示されている。この埋設標識シートは一定間隔毎に襞状３層重合部８を有し、３層重合部８に３層一体溶着部９を有し、３層重合部８上部折畳線１３間の印刷域５にのみ標識文字４を印刷し、襞状３層重合部８の内部に印刷しないようにして使用前でも標識文字４を全部読める埋設標識シートを得る。
【先行技術文献】
【特許文献】
【０００４】
【特許文献１】特開平９−０５９９４１号公報
【発明の概要】
【発明が解決しようとする課題】
【０００５】
上記したような従来の埋設物表示装置においては、掘削方法によってはシート全体が地表まで露出せず、一部分のみが露出したり、シートが切断されて露出せず、管の存在を見逃す恐れがあるという問題点があった。
発明の目的は、上記した従来の問題点を解決し、埋設管の存在を従来よりもより確実に認識できる埋設物表示装置を提供することにある。
【課題を解決するための手段】
【０００６】
本発明の埋設物表示装置は、地下に埋設物が存在することを表示する埋設物表示装置において、シート状の基体と、前記基体の一方の面に前記基体と一体に形成されるか、あるいは前記基体に付着され、内部に着色料が密封され、埋設されて加圧されることによって破裂する複数のカプセルとを備えていることを主要な特徴とする。
【０００７】
また、上記した埋設物表示装置において、前記カプセルの少なくとも一部を生分解性樹脂で形成した点にも特徴がある。また、上記した埋設物表示装置において、前記カプセルは、薄い樹脂製であり、前記着色料を内蔵した凹部を備えたカプセル形成シートを前記基体の一方の面に貼り合わせることによって形成した点にも特徴がある。
【０００８】
また、上記した埋設物表示装置において、前記カプセルの側面あるいは底面の一部の少なくとも一方が他の部分よりも薄くなっている点にも特徴がある。また、上記した埋設物表示装置において、前記カプセルの前記基体部分の内面に針状の突起を備えている点にも特徴がある。また、上記した埋設物表示装置において、前記カプセルの一部には着色料の代わりに臭気物質が密封されている点にも特徴がある。
【発明の効果】
【０００９】
本発明によれば、以下のような効果がある。
（１）埋設シートを埋設、加圧するだけで下方の一定の範囲の土が均一に着色される。また、カプセルに生分解性プラスティックを使用することによってより確実に着色される。
（２）シート状なので保管や輸送が容易であり、溝の中に埋設シートを敷くだけであるので、施工が簡単である。
【００１０】
（３）掘削時に埋設シートが露出しない場合でも、土が着色されていることにより、管が埋設されていることをより確実に認識可能である。
（４）シート基体の下方の土が着色されるので、雨水などがシートによって阻止され、シート下方の着色料が不必要に拡散するのを防止できる。
【図面の簡単な説明】
【００１１】
【図１】図１は本発明の埋設物表示装置の構成を示す斜視図である。
【図２】図２は本発明の埋設物表示装置の構成を示す断面図である。
【図３】図３は本発明の埋設物表示装置を使用した管の埋設方法を示す説明図である。
【図４】図４は本発明の埋設物表示装置の実施例２を示す断面図である。
【図５】図５は本発明の埋設物表示装置の他の実施例を示す断面図である。
【発明を実施するための形態】
【００１２】
以下に図面を参照して実施例について説明する。
【実施例１】
【００１３】
図１は本発明の埋設物表示装置の構成を示す斜視図である。また、図２は本発明の埋設物表示装置の構成を示す断面図である。なお、図２においては、理解を容易にするために層の厚さを誇張して描いてある。本発明の埋設物表示装置（以下、埋設シート１０と記す）１０は、例えば幅３０センチメートル、長さ１０メートル程度の長い帯状のシートからなり、埋設シート１０の片面（下面）には複数のカプセル１１が形成されている。
【００１４】
埋設シート１０は、例えば基体となる薄く透明な樹脂製シート２０および、樹脂製シートのカプセル形成側の面に印刷された文字、図形、背景色などのインク（染料、顔料）からなるごく薄い印刷層２１、カプセル１１を形成するための薄いカプセル形成シート２２を重ねた３層構造となっており、梱包時に品物を包む緩衝材に似た構造を備えている。
【００１５】
なお、図１においては図示していないが、埋設シート１０には印刷層２１によって例えば「埋設管あり」というような管への注意を喚起する文字、記号、赤や白など土壌とは異なる背景色が印刷されている。従って、掘削時にこの埋設シート１０が露出した場合には地下に管が埋設されていることが認識できる。なお、印刷層２１は本発明に必須の構成要件ではなく、一部あるいは全部を省略してもよい。
【００１６】
樹脂製シート２０としては、例えばポリエチレンなどの透明で柔軟性および耐久性があり、印刷可能な樹脂を使用可能である。なお、材質としては他にポリプロピレン、ポリ塩化ビニール、ポリスチレン、ポリ酢酸ビニール、アクリル樹脂など、上記条件を満たす任意の樹脂を使用可能である。
【００１７】
カプセル形成シート２２は埋設シート１０の印刷層２１の上に貼り合わせて多数の密封されたカプセル１１を形成するための樹脂製シートである。なお、カプセル形成シート２２材質は上記した樹脂製シート２０と同じ材質でもよいが、周知の生分解性プラスチックを採用してもよい。
【００１８】
カプセル形成シート２２を生分解性プラスティックで形成しておけば、埋設時に加圧によって破裂しなかったカプセル１１についても埋設後に所定の時間が経過した場合にカプセル形成シート２２に孔が開き、着色料２３が外部に漏れ出る。生分解性プラスチックの成分としては、微生物などによって分解し、最終的に水と二酸化炭素に完全に分解する性質を持っている完全生分解性プラスチックの方が好ましい。
【００１９】
カプセル１１は、例えば薄い樹脂製であり、着色料２３を内蔵した多数の凹部（例えば直径および深さが数ミリ〜数センチメートルの円筒形状）を備えたカプセル形成シート２２を接着剤や熱溶着によって樹脂製シート２０（印刷層２１）の一方の面に貼り合わせることによって一体に形成されるか、あるいは別に形成された個々のカプセルを樹脂製シート２０に付着させることによって形成される。
【００２０】
カプセル１１は、面積当たりの数（面密度）がほぼ一定に形成されている。なお、埋設シート１０を所望の長さで切断する場合に、カプセル１１を切断してしまうと着色料が漏れ出るので、シート１０の長さ方向に所定の間隔で、シートの幅方向にカプセル１１が１つも存在しない領域を作っておく。また、この領域にミシン目を入れておけば簡単に切断できる。カプセル１１の内部には着色料２３および空気（層）２４が密封されている。なお、空気２４はなくてもよい。また、着色料２３の劣化を防止するために、空気層２４に炭酸ガスや窒素ガスなどのガスを充填してもよい。
【００２１】
カプセル１１の縦断面は台形あるいは長方形であり、横断面は円形である。埋設シートを埋設すると、カプセル１１に圧力がかかり、カプセル１１が破裂する。すると、内部の着色料２３が周囲の土に染み出して周囲の土を着色する。
【００２２】
着色料２３としては土に染み出し易く、かつ染み出した場合に判別しやすく、経年変化の少ないものであれば公知の任意の染料、顔料を採用可能である。着色料２３としては、白、赤、黄などの色を採用してもよく、例えば習字の添削などに使用される朱墨（硫化第２水銀）を採用してもよい。なお、土に染み出し易い水溶性の着色料の方が好ましい。
【００２３】
埋設シート１０の保管、輸送時には、カプセル１１が内側になるように埋設シート１０をロール状に巻いておくことによって、外部からの衝撃や圧力によってカプセル１１が破裂することを防止できる。
【００２４】
図３は本発明の埋設物表示装置を使用した管の埋設方法を示す説明図である。（Ａ）まず管を埋設するための溝３０を掘削し、（Ｂ）水道管やガス管などの管３１を設置する。そして（Ｃ）所定の深さ、例えば溝３０の深さの半分程度、あるいは地表面から所定の深さ（例えば１０〜３０センチメートル）まで溝３０を埋め戻す。埋め戻しに使用する土３２は掘削土でもよいし、砂でもよい。なお、埋め戻す土が乾燥していると着色料が拡散し難いので、埋め戻す土が乾燥している場合には埋め戻した後に水をまいてもよい。
【００２５】
（Ｄ）次に、管３１の上部に本発明の埋設シート１０を敷設する。最後に（Ｅ）埋設シート１０の上部の溝を地表面まで埋め戻し、上部からローラーやタッピング等によって加圧する。すると（Ｆ）加圧によって埋設シート１０のカプセル１１が破裂し、、内部の着色料２３が周囲の土に染み出して周囲の土３５を着色する。
【００２６】
図４は本発明の埋設物表示装置の実施例２を示す断面図である。実施例１においてはカプセル１１の内部には着色料２３のみを密封する例を開示したが、カプセル１１の一部に着色料２３の代わりに臭気物質４０を密封してもよい。この場合には臭気物質４０を密封したカプセルは埋設、加圧では破裂せず、掘削時にカプセルが破壊されて初めて臭気物質が外部に拡散されるように、図５に示し、後述するような加圧により破裂し易くする構造は備えないようにしてもよい。
【００２７】
図５は本発明の埋設物表示装置の他の実施例を示す断面図である。実施例１においては図２に示すようなカプセルの構造を開示したが、埋設シートを埋設した場合にカプセル部分に外部から均等に圧力がかかった場合にはカプセルが萎むだけで破裂せず、着色料２３が外部に漏れ出さない恐れがある。図５に示す実施例は、埋設時にカプセルがより確実に破裂するための構造を備えたものである。
【００２８】
図５（Ａ）は、カプセル１１の内部（実施例では樹脂製シート２０のカプセル内面）に針状の突起５０を備えたものである。このようにすれば、埋設シート１０に上下から圧力がかかった場合に突起５０によって底面のカプセル形成シート５６が破裂し易くなる。
【００２９】
図５（Ｂ）は、円筒形状のカプセルの底部（軸方向の端部）のカプセル形成シート５５を厚くし、円筒形状のカプセルの側面のカプセル形成シート５６を薄くしたものである。このようにすれば、埋設シート１０に上下から圧力がかかった場合に側面のカプセル形成シート５６が破裂し易くなる。
【００３０】
図５（Ｃ）は、円筒形状のカプセルの底部（軸方向の端部）のカプセル形成シート５７を厚くし、かつ底部の中心部のみカプセル形成シート５８を薄くしたものである。このようにすれば、埋設シート１０に上下から圧力がかかった場合に底部中央のカプセル形成シート５８が破裂し易くなる。
【００３１】
図５（Ｂ）、（Ｃ）のような埋設シートは、カプセル形成シートの厚さを部分的に厚くすることによって製造可能であるが、薄いカプセル形成シート２２でカプセルを形成し、カプセルの底部に円形あるいはドーナツ状の硬い円板部材を貼り付けてもよい。
【００３２】
以上、実施例について説明したが、以下のような変形例も考えられる。実施例においては、シートを貼り合わせることによって複数のカプセルを形成する例を開示したが、例えば着色料を密封した樹脂製のカプセル単体を多数製造し、これを接着剤等によってシート基体に接着することにより、埋設シートを製造してもよい。
【００３３】
実施例においては、基体として通常の樹脂を使用する例を開示したが、例えばシートの基体として強靭な繊維製の織物や板状部材を採用して、管の保護機能を備えるようにしてもよい。
【００３４】
実施例においては、シートは平面状の構造である例を開示したが、例えば先行技術文献として前記した特開平９−０５９９４１号公報に記載されているようにシートを折り畳んだ構造を備えてもよい。この場合には、折り畳んだ状態で露出する下面にのみカプセルが配置されるようにする。このようにすれば、掘削機械で埋設シートを引っ掛けた場合に、埋設シートが引っ張り出されてより検知し易くなる。
【００３５】
実施例においては、管などの埋設物があることを表示する装置について説明したが、本発明の装置は地表に任意の線や模様を着色する装置としても使用可能である。この場合、例えば地表に円形の線を描きたい場合には、所望の色の着色料を内蔵した本発明のシートを所定の幅で円形あるいは円弧状に切断し、描きたい場所の地表に円形に配置した後、ローラーなどで加圧し、カプセルを破裂させる。このようにすれば、所望の色で所望の任意の図形を正確かつ簡単に描くことができる。
【産業上の利用可能性】
【００３６】
本発明は地中に任意の埋設物があることを表示する装置や地表に任意の線や模様を着色する装置に適用可能である。
【符号の説明】
【００３７】
１０…埋設物表示装置（埋設シート）
１１…カプセル
２０…樹脂シート
２１…印刷層
２２…カプセル形成シート
２３…着色料
２４…空気層
【図１】
2016216918.tif 000003
【図２】
2016216918.tif 000004
【図３】
2016216918.tif 000005
【図４】
2016216918.tif 000006
【図５】
2016216918.tif 000007